(57)【特許請求の範囲】
【請求項１】
弾性的なゴム状の材料からなる交換可能なブレード要素（２）を具備し、車両のガラスを洗浄するためのガラス払拭装置のワイパーブレードであって、支持フレーム（１）の長手方向に沿って設けられたの複数の保持用爪状部（３）は、前記ブレード要素（２）の一部をなすブレード上部（４）を上方から少なくとも部分に把持し、前記ブレード上部（４）の相対する長手方向側面に形成された複数の長手方向溝（５）に係合し、前記ブレード上部（４）の一端部に取着された端部クリップ（６）は、前記ブレード要素（２）をその長手方向に外れないように前記支持フレーム（１）に保持することによって前記ブレード要素（２）は長手方向に延びた支持フレーム（１）に保持されていて、前記ブレード上部（４）の長手方向に延びており前記端部クリップ（６）の一部をなす移動止めアーム（１３）は、前記複数の爪状部のうちの支持フレーム（１）の末端側に位置する末端爪状部（３）の内側を跨いでおり、係合手段によって前記末端爪状部（３）の内端面を後方把持してなるワイパーブレードにおいて、
前記端部クリップ（６）の前記移動止めアーム（１３）は、実質的に平坦な細長い形状を有し、前記ブレード上部（４）の長手方向の一側面に沿って平坦に延びており、前記係合手段は、前記移動止めアーム（１３）から打ち抜かれておりかつ前記移動止めアーム（１３）の面から前記ブレード上部（４）を越えて外側に曲げられている舌状部（１４）であり、この舌状部の端面（１５）は前記支持フレーム（１）の前記末端爪状部（３）の内端面のストッパとして用いられることを特徴とするワイパーブレード。
【請求項２】
前記端部クリップ（６）は薄板で製造されていることを特徴とする請求項１に記載のワイパーブレード。
【請求項３】
前記端部クリップ（６）は、複数の爪状部（８）と基礎部分（７）とを有し、この基礎部分は、前記ブレード上部（４）の末端部を少なくとも部分的に把持していて、向かい合っておりこの端部クリップ（６）の前記複数の爪状部（８）は、前記ブレード上部（４）の前記長手方向溝（５）に係合し、塑性変形によって前記ブレード上部（４）に緊締されていることを特徴とする請求項１又は２に記載のワイパーブレード。
【請求項４】
前記端部クリップ（６）は、単一の一体的な部材として形成されており、追加の部材を用いることなく前記ブレード上部（４）に保持されていることを特徴とする請求項１乃至３のいずれか１に記載のワイパーブレード。
【請求項５】
前記端部クリップ（６）の前記舌状部（１４）及び／又は前記移動止めアーム（１３）は、前記移動止めアーム（１３）の厚さ方向に弾性的に外側に曲げ可能であることを特徴とする請求項１乃至４のいずれか１に記載のワイパーブレード。
【請求項６】
前記舌状部（１４）は、前記端面により接続された１対の長辺を有し、前記端面は、前記基礎部分（７）側に位置し、前記舌状部（１４）は、前記移動止めアーム（１３）から打ち抜かれて形成されており、前記舌状部（１４）の前記端面（１５）と反対側の短辺は、移動止めアーム（１３）の自由端の領域で移動止めアーム（１３）と結合されていることを特徴とする請求項１乃至５のいずれか１に記載のワイパーブレード。
【請求項７】
前記舌状部（１４）の前記１対の長辺の一方と、前記基前記端面（１５）とが前記移動止めアーム（１３）から打ち抜かれ、前記舌状部（１４）の他方の長辺は、前記移動止めアーム（１３）の元々の長辺手によって形成されており、前記舌状部（１４）の前記端面（１５）と反対側の短辺は、前記移動止めアーム（１３）の自由端の領域で前記移動止めアーム（１３）と結合されていることを特徴とする請求項１乃至６のいずれか１に記載のワイパーブレード。
【請求項８】
前記端部クリップ（６）は、実質的に平坦なガイドアーム（１６）を有し、このガイドアーム（１６）は、前記基礎部分（７）から、前記ブレード要素（２）の一部をなす前記ブレード上部（４）の前記移動止めアーム（１３）に相対する長手方向側面に沿って平坦に延びており、前記支持フレーム（１）の、前記端部クリップ（６）と関連した複数の末端爪状部（３）の内側を、前記末端爪状部（３）を後方で係止することなく跨いでいることを特徴とする請求項１乃至７のいずれか１に記載のワイパーブレード。
【請求項９】
前記ブレード上部（４）に取着された前記端部クリップ（６）は、前記ブレード要素（２）の垂直の長手方向中心面（１９）に対し鏡面対称に形成されており、かつ、前記移動止めアーム（１３）は、前記ブレード上部（４）の向かい合う長手方向側面に沿って平坦に延びている２つの移動止めアーム（１３）であることを特徴とする請求項１乃至８のいずれか１に記載のワイパーブレード。
【請求項１０】
車両のガラスを洗浄するためのガラス払拭装置のワイパーブレード用の交換キットであって、揃いで予め組み立てられた交換キットは、弾性的なゴム状の材料からなる交換可能なブレード要素（２）と、このブレード要素（２）の一部をなすブレード上部（４）に設けられておりかつ保持されている１つ又複数の緩衝片（１１）と、前記ブレード上部（４）の一端部に取着されており、前記１つ又複数の緩衝片（１１）を前記ブレード上部（４）に固定し、かつ前記ワイパーブレードの支持フレーム（１）に前記ブレード要素（２）を長手方向に固定するための端部クリップ（６）とからなり、この端部クリップ（６）は前記ブレード上部（４）の方向に延びる移動止めアーム（１３）を有し、この移動止めアーム（１３）は前記支持フレーム（１）への前記交換キットの取付の後に、前記支持フレーム（１）の関連した末端爪状部（３）の内側を跨いでおり、係合手段によって前記末端爪状部（３）の内端面を後方把持してなる交換キットにおいて、
この交換キットは請求項１乃至８のいずれか１の特徴をもって形成されていることを特徴とする交換キット。
【発明の詳細な説明】
本発明は車両のガラスを洗浄するためのガラス払拭装置のワイパーブレードに関する。このワイパーブレードは請求項１の前提部分の特徴を有する。更に、本発明は、このようなワイパーブレード用の請求項１１の前提部分の特徴を有するような、揃いで予め組み立てられた交換キットに関する。
このタイプのワイパーブレード及び交換キットは既にEP 0 714 820 A1から公知である。このワイパーブレードの場合、弾性的なゴム状の材料からなる交換可能なブレード要素のブレード上部が、長手方向の伸びた多くの部材からなる支持フレームの複数の保持用爪状部に保持されるのは、これらの保持用爪状部がブレード上部を上から部分的に把持し、ブレード上部の向かい合う複数の長手方向側面に沿って形成されている複数の長手方向溝へ係合することによってである。ブレード要素の長手方向における固定は、ブレード上部の一端に取着されておりかつ薄板によって製造されたスプリングクリップによってなされる。このスプリングクリップは、スプリングクリップの基礎部分からブレード上部へと長手方向に延びており、支持フレームの関連した複数の保持用爪状部を跨いでおり、かつ、これらの保持用爪状部をフックで後方把持するための平坦な弾性的に外側へ曲げ可能な移動止めアームを有している。フックは移動止めアームの端部によって形成されている。この端部はＶ字形に上方に曲げ反らされているので、他の係止フックと鋭角を形成している。フックの端面は、停止手段として支持フレームの保持用爪状部の内端面と協働する。好都合にも簡単な方法で、緩衝片と、ブレード上部に取着されたスプリングクリップとで完備されて予め組み立てられた交換キットを形成するブレード要素は、長手方向への支持フレームの爪状部への挿入によって、この支持フレームに取り付けられることができる。スプリングクリップの、フックを有するアームを支持フレームの保持用爪状部に係止するのは、押込み力の作用下で自動的になされる。
しかし乍ら、新たなブレード要素又は新たな交換キットの組立の前に不可避的になされるような、交換されるべきブレード又は交換されるべき交換キットの取外しは問題である。この場合、手動による取扱によって、スプリングクリップのフック及びフックで形成された移動止めアームは、係止を解放するために自らの弾性的な復元力に抗して外側へ曲げられなければならない。同時に、緩衝片は、引出し方向に支持フレームの保持用爪状部から引き出されなければならない。移動止めアームがブレード要素の背部と支持フレームの下面との間に設けられているので、取り外されるべき移動止めアームへの接近が困難である。その上、フック自体は、塑性変形の故に、Ｖ字形に折曲するように自らの弾性的な復元力に抗して更に圧縮されなければならない。それ故、ブレード要素及び交換キットの長手方向固定を支持フレームから解放するために大きな力が必要である。従って、１つの工具のみによって実行可能なこのような取扱性は実行者にとって幾つかの困難と繋がっており、相応な手仕事の巧みさを必要とする。
本発明の課題は、冒頭に記載したタイプのワイパーブレードを、ブレード要素又は交換キットの交換の際に組立作業及び取外し作業がかなり容易に実行可能であり、実行者の特別な手先の器用さを全然必要としないように改善することである。更に、取扱が容易なワイパーブレード用交換キットを準備することが意図されている。
本発明によれば、この課題は、請求項１の特徴を有するワイパーブレード又は請求項１０の特徴を有する交換キットによって解決される。本発明の基本思想は、端部クリップの一部をなす係合手段を、固定状態の解放の目的のためにスムーズな接近を可能する場所に設けること、及び、係合手段又は端部クリップを、一方では、ブレード要素又は交換キットを安全に作動するようにワイパーブレードの支持フレームに固定することが保証されており、他方では、この固定状態が容易にかつ僅かな力の消費で解放可能であるように形成することにある。
端部クリップには係合手段を有する只１つの移動止めアームがあることによって、取扱は２つの移動止めアームを有する端部クリップの場合よりも容易である。只１つの移動止めアームをブレード要素の一部をなすブレード上部の長手方向側面に設けることは、係合手段への直接的なかつスムーズな接近を保証する。移動止めアームから打ち抜かれた舌状部は、ブレード上部を越えて移動止めアームから鋭角で外側に曲げられており、舌状部の自由な端面は支持フレームの末端爪状部の内端面のストッパとして用いられる。係合手段をこのような舌状部のように形成することは、故障のない長手方向の固定をもたらすだけでなく、固定状態の解除が比較的僅かな力の消費で実行可能であることももたらす。かくて、交換キットの組立又は交換が、手作業の未熟な人々によっても容易に実行可能であるようなワイパーブレード用のワイパーブレード又は交換キットが開発された。交換キットを長手方向で支持フレームの保持用爪状部に挿入する際に、端部の爪状部の移動止めアームは、関連した末端の爪状部に自動的に係合する。取外しの際には、端部クリップの移動止めアームに形成された舌状部のみが、自らの比較的僅かなばね力に抗して、ブレード要素の一部をなすブレード上部の長手方向側面へと押圧され、交換キットが支持フレームから長手方向に引き出される。移動止めアームの幾何学的構成及び材料特性に応じて、移動止めアームの舌状部は、危険性なしに単に指又は指の爪で解放位置にもたらされることができる。
本発明の好都合な構成は従属請求項２乃至９から明らかである。
請求項２に記載の本発明の構成は、薄板で製造されている端部クリップが考えられ得る僅かな材料の厚さの故に、ブレード上部の外郭に平坦に接触していることができることを可能にする。このことによって、端部クリップは視覚的には目立たず、僅かな材料の使用のみでよい。更に、走行中に作用する気流は、材料が平坦であるのでワイパーブレードの気流状態へ感知可能な好ましからざる影響を及ぼすことはない。
請求項３に記載の本発明の構成は、端部クリップのワイパーブレードの一部をなすブレード上部での長期間確実な固定を保証する。これに対し、請求項４に記載の本発明の構成は、製造と、ブレード上部への端部クリップの組立とに関して特に安価である。
請求項５に記載の本発明の構成では、確実な固定のために及び固定状態の容易な解除のためにも最適である端部クリップの舌状部及び移動止めアームのばね力が保証されている。
請求項６に記載の本発明の好都合な構成は、長手方向側面と、基礎部分に指向しておりかつ長手方向側面を結合する舌状部の端面とが、移動止めアームから打ち抜かれており、舌状部の打ち抜かれた端面と反対側の短辺が、好ましくは、移動止めアームの自由端の領域で移動止めアームと結合されていることを規定している。
しかし乍ら、請求項７に記載の構成は好ましい。この請求項では、舌状部の一方の長手方向側面と、基礎部分に指向する端面とが移動止めアームから打ち抜かれているの対して、舌状部の他方の長手方向側面は、移動止めアームの元々の長手方向側面によって形成されており、舌状部の端面と反対側の短辺は、好ましくは、移動止めアームの自由端の領域で移動止めアームと結合されている。このことによって、移動止めアームの比較的僅かな幅の場合にも舌状部を必要な安定性のために十分に大きな幅で設計することができる。
請求項８に記載の本発明の構成は特に好ましい。移動止めアームに追加してブレード上部に相対する長手方向側面に設けられており、かつ同様に支持フレームの末端の爪状部の内側を跨いでいる端部クリップのガイドアームは、ワイパーの作動の際に、あるいは、例えば洗車装置のブラシによって又はワイパーの作動の際に発生する外からの力の作用の際に、末端の爪状部の内側において支持されることができる。このことによって、ブレード上部に取着された端部クリップのブレード上部の長手方向に対する傾動、従ってまた、末端の爪状部における端部クリップの固定状態の自動的な解除が妨げられる。換言すれば、支持フレームの末端爪状部における端部クリップの確実な外れない取付けが保証される。
請求項９に記載の本発明の好都合な構成は、ブレード上部に取着された端部クリップが、ブレード要素の垂直の長手方向中心面に対して鏡面対称に形成されており、かつ、ブレード要素の一部をなすブレード上部の、向かい合う長手方向側面のうちの１つに沿って平坦に延びている２つの移動止めアームを有することを特徴とする。この場合、同時に２つの移動止めアームが解除位置にもたらされねばならければならないので、交換されるべきブレード要素又は除去されるべき交換キットの除去は幾らか難しい。しかし、他方、この構成は、支持フレームにおけるブレード要素又は交換キットの特別に確実な長手方向の固定という利点を有する。
独立の請求項１０に記載のように、本発明がワイパーブレード用の交換キットのみを対象にしていることも再度指摘しておく。車両のガラスを洗浄するためのガラス払拭装置のワイパーブレード用の交換用キットであって、揃いで予め組み立てられた交換用キットは、弾性的なゴム状の材料からなる交換可能なブレード要素と、このブレード要素の一部をなすブレード上部に設けられておりかつ保持されている１つ又は複数の緩衝片と、ブレード上部の一端に取着されており、１つ又は複数の緩衝片をブレード上部に固定し、かつワイパーブレードの支持フレームにブレード要素を長手方向に固定するための端部クリップとからなり、この端部クリップはブレード上部の方向に延びる移動止めアームを有し、この移動止めアームは、支持フレームへの交換用キットの取付の後に、支持フレームの関連した末端爪状部の内側を跨いでおり、係合手段によって末端爪状部の内端面を後方把持してなる交換キットは、この交換キットが請求項１乃至８のいずれか１の特徴をもって形成されていることを特徴とする。
以下、図面を参照して本発明のその他の詳細を詳述する。
図１ａは支持フレームに保持された交換キットを有する本発明のワイパーブレードの端部部分の斜視図である。
図１ｂは図１ａにおいて用いられる端部クリップの斜視図である。
図２ａは図１ａに対する平面図である。
図２ｂは図１ｂに対する平面図である。
図１ａ及び２ａには夫々、車両のガラスを洗浄するためのガラス払拭装置用のワイパーブレードの端部部分と、ワイパーブレードの支持フレーム１によって保持される交換キットの端部部分とが示されている。１つの部材又は幾つかの部材で形成されていることができる支持フレーム１は、弾性的なゴム状の材料からなるブレード要素２を保持しかつ支持するための複数の爪状部を有している。図１ａ及び２ａに見ることができる末端爪状部３として形成されている支持フレーム１の複数の爪状部が、ブレード要素２の一部をなすブレード上部４を保持しているのは、これらの爪状部が上からブレード上部４を少なくとも部分的に把持し、複数の長手方向溝５に係合することによってである。これらの長手方向溝５はブレード上部４の相対する長手方向側面に形成されている。ブレード要素２を、あるいは揃いで予め組み立てられた交換キットを支持フレーム１に取り付けるために、この支持フレームは、支持フレーム１の、図１ａ及び２ａに示された端部から支持フレーム１の末端爪状部３及び他の爪状部へ挿入される。図１ｂ及び２ｂには、押込み方向Ｅが矢印で示されている。この押込み方向はブレード要素２詳しくはブレード上部４の長手方向に延びている。
ブレード要素２は、外れないように支持フレーム１に保持されていなければならないので、ブレード要素２詳しくはブレード上部４を支持フレーム１に長手方向に固定することは必要である。このためには端部クリップ６が用いられ、この端部クリップは、ブレード要素２の一部をなすブレード上部４の一端に長期間取着されている。端部クリップ６（図１ｂ及び２ｂも参照）は薄板で製造されており、ブレード上部４の端部部分の外郭にほぼ適合している基礎部分７を有する。基礎部分７は上からブレード上部４の端部部分を把持し、向かい合う爪状部８によって、ブレード上部４の互いに同一の長手方向溝５、しかも支持フレーム１の爪状部のために定められている長手方向溝５に係合する。爪状部８の方向における基礎部分７の塑性変形によって、端部クリップ６はブレード上部４に動かないようにロックされる。この場合、端部クリップ６の爪状部８に形成された複数の歯は、ブレード上部４の材料へ押し込まれて、ブレード上部４における端部クリップ６の確かな適合をもたらす。この固定の安定性を更に高めるために、基礎部分７の端面の壁部９がブレード上部４の端面に接触している。このことによって、改善された形状係合が達成される。
基礎部分７の向かい合う側壁からは、舌状の取付用部分１０が打ち抜かれており、これらの取付用部分１０は、１つ又は２つの可撓性部材すなわち緩衝片１１を長手方向にブレード上部４の端部に固定するために定められている。ブレード上部の周囲を閉じられる長手方向通路に、只１つの緩衝片１１が設けられているか、あるいは、この実施の形態のように２つの緩衝片１１が設けられている。後者の場合には、複数の緩衝片１１は、ブレード上部４の相対する長手方向側面に形成された別々の長手方向溝に嵌め込まれている。これらの２つの緩衝片１１は、支持フレーム１の爪状部によって側方へ滑って外れないように守られている。長手方向における緩衝片１１の必要な固定のために、端部クリップに形成された取付用部分１０は内側へ塑性変形される。図１ａ及び２ａに示された実施の形態では、次に、取付用部分１０は緩衝片１１の端部に形成された対応の開口部に係合する。ブレード上部の長手方向通路に設けられている只１つの緩衝片を有するような図示しない変更の実施の形態の場合には、取付用部分１０の塑性変形によって、通路壁部の材料が１つの緩衝片の対応する側方の開口部に押し込まれる。かくて、ブレード要素２と、１つの緩衝片又は複数緩衝片１１と、端部クリップ６とからなる揃いで予め製造された交換キットは、取扱が容易な構成ユニットとして準備されることができる。
端部クリップ６の一部をなす保持アームすなわち移動止めアーム１３の形成は、本発明に鑑みれば特に重要である。移動止めアーム１３は実質的に平坦な縦長の形を有する。移動止めアームは端部クリップ６の基礎部分７から出ており、長手方向に平坦に、ブレード上部４の２つの長手方向側面のうちの一方に沿って延びている。この場合、ブレード上部４が実質的に台形の横断面輪郭を有しているか、あるいは矩形の横断面輪郭を有しているかは重要でない。係止手段として、移動止めアーム１３に舌状部１４が形成されており、舌状部１４の矩形の縦長の形状は移動止めアーム１３の又はブレード上部４の長手方向に整列されている。外側に曲がりやすいばねとして、舌状部１４の内側の長手方向側面と、端部クリップ６の基礎部分７に向いている舌状部の端面１５とは、残りの移動止めアーム１３から打ち抜かれており、平面状の鋭角で、ブレード上部４を越えて移動止めアーム１３から外側に曲げられている。この場合、舌状部１４の打ち抜かれた長辺に相対する長辺は、移動止めアームの元の長辺の一部によって形成されており、端面１５と反対の位置にある短辺では、舌状部１４は、移動止めアーム１３の自由端の領域で残りの移動止めアームと結合されている。
更に、縦長の平坦なガイドアーム１６は端部クリップ６の一部をなし、端部クリップ６の基礎部分７から始まって、ブレード上部４の移動止めアーム１３に相対する長手方向側面に沿って平坦に延びている。ブレード要素２又は揃いで予め組み立てられた交換キットがワイパーブレードの支持フレーム１が取り付けられているとき、移動止めアーム１３及びガイドアーム１６は、図２ａに示すように、支持フレーム１の端部クリップ６と関連した末端爪状部３のその内側を跨いでいる。移動止めアーム１３及びガイドアーム１６の外側は、末端爪状部３の内側において支持することができる。舌状部１４の打ち抜かれた端面１５は、支持フレーム１の末端爪状部３の内端面のストッパとして用いられる。更に、端部クリップ６の基礎部分７の内端面１７がストッパとして末端爪状部３の外端面と協働するので、支持フレーム１においてのブレード要素２又は交換キットの必要な長手方向の固定が保証されている。図１ａ及び２ａで見て取ることができ、ワイパーブレードの機能を損なわない端部クリップ６と末端爪状部３との間の狭い長手方向の遊び１８が、標準的な許容誤差を補償するために用いられるのは好都合である。
図１ａ及び２ａに示された本発明の好ましい実施の形態では、保持アーム１３及びガイドアーム１６はブレード上部４の相対する長手方向側面に載っており、末端爪状部３の内側を跨いでいる。このことによって、特に輪郭の狭い組立てと、ブレード要素２における端部クリップの特に確実な固定とが保証されている。
ブレード要素２又は揃いで予め組み立てられた交換キットを支持フレーム１と組み合わせてワイパーブレードを形成するために、交換キットは一端から挿入方向Ｅに支持フレームの末端爪状部３及び複数の保持爪状部へ挿入されて、これらの保持爪状部は、ブレード要素２の一部をなすブレード上部４の長手方向側面に沿って長手方向溝５に係合する。挿入過程の終了頃に、まず長い移動止めアーム１３が、次に短いガイドアーム１６が支持フレーム１の当該の末端爪状部３の内側の下方に達する。移動止めアーム１３及びガイドアーム１６の自由端の幅は、挿入補助手段として錐形になっているので、移動止めアーム１３及びガイドアーム１６は、自動的に両者に与えられた位置に達する。この位置では双方の部材は末端爪状部３の内側を跨いでいる。係止手段として用いられる移動止めアーム１３の舌状部１４が挿入の最中に末端爪状部３の内側を通過するとき、舌状部は、一時的に弾性をもってブレード上部４の方向に、すなわち、移動止めアーム１３の材料の厚みに対し横方向に外側に曲げられて、末端爪状部３の内端面の後方で自らの標準位置へ跳ね返る。かくて、端部クリップ６の移動止めアーム１３は末端爪状部３の内側を跨いでおり、舌状部１４でもって、末端爪状部３の内端面を後方で把持する。このことによって、支持フレーム１においてのブレード要素２又は交換キットの必要な長手方向の固定が形成されている。
ブレード要素２又は交換キットを支持フレーム１から取り外すために、末端クリップ６の移動止めアーム１３に設けられた舌状部１４は、指又は指の爪又は工具による相応の押圧によって、単独で又は移動止めアーム１３と共に、自らのばね力に抗して解放位置へ曲げられる。同時に、端部クリップ６及びブレード要素２あるいは交換キットは挿入方向Ｅと逆方向に、支持フレーム１の保持爪状部から長手方向に引き出される。
支持フレーム１におけるブレード要素２又は交換キットの特に確実な長手方向の固定の達成が望まれ、そのために、支持フレーム１の末端爪状部３からの端部クリップ６の取外しが、図面に示した前記実施の形態の場合よりも幾らか難しくなることが甘受されるときは、端部クリップ６は、垂直の長手方向中心面１９（図２ａ）に関して鏡面対称に形成されている２つの移動止めアーム１３を有するほうがよい。図面に言及すれば、かくて、ガイドアーム１６の代わりに、第１の移動止めアームに対し鏡面対称に形成された第２の移動止めアーム１３が設けられているだろう。ブレード要素２又は交換キットを支持フレーム１から取り外すためには、２つの移動止めアーム１３又はこれら２つの移動止めアーム１３に形成された舌状部１４が取外し位置において押圧され、端部クリップ６が、ブレード要素２と共に長手方向に支持フレーム１の保持爪状部から引き出されなくてはならない。
本発明が更に関連している揃いで予め組み立てられた交換キットの構成的構造、取扱い及び機能は、同様に図面及び上述の明細書から明らかである。それ故に、これらの事柄は再度別個に図示かつ記載する必要はない。
参照符号のリスト
１  支持フレーム
２  ブレード要素
３  末端爪状部
４  ブレード上部
５  長手方向溝
６  端部クリップ
７  基礎部分
８  爪状部
９  端面壁部
１０  取付用部分
１１  緩衝片
１３  移動止めアーム
１４  舌状部
１５  端面
１６  ガイドアーム
１７  端面
１８  長手方向の遊び
１９  垂直の長手方向中心面
Ｅ  挿入方向
【図１】
0003983822.tif 000002
【図２】
0003983822.tif 000003